(57)【要約】【課題】当接部又は被当接部の着脱により、ズームの使用可能領域を簡単に切り替えることができるズームレンズ装置を提供する。【解決手段】ズームリング１６にストッパピン３０を取り付けると、そのストッパピン３０が、固定筒１２に形成されたズーム範囲規制溝３２に嵌入されて、ズームリング１６の可動範囲がワイド端からランピングポイントまでに規制される。ストッパピン１６を取り外すと、規制が解除され、ズーム全域でズーム操作が可能になる。【選択図】      図２
2004295005.tif 000002
【特許請求の範囲】
【請求項１】
固定筒の外周部に回転自在に設けられたズームリングの回転角度位置に応じて焦点距離が変化するズームレンズ装置において、
前記ズームリングに設けられた当接部と、
前記固定筒に設けられ、テレ方向に回転操作された前記ズームリングの当接部が当接されて、前記ズームリングのランピングポイント以降の回転を規制する被当接部と、
を備えるとともに、前記当接部又は前記被当接部が着脱自在に設けられ、前記当接部又は前記被当接部が装着されると、前記ズームリングのランピングポイント以降の回転が規制されることを特徴とするズームレンズ装置。
【請求項２】
前記当接部は、前記ズームリングに着脱自在に設けられたピンであるとともに、前記被当接部は、前記固定筒の周面に周方向に沿って形成された溝であり、前記ズームリングに装着した前記ピンが前記固定筒に形成された溝の端面に当接することにより、前記ズームリングのランピングポイント以降の回転を規制することを特徴とする請求項１に記載のズームレンズ装置。
【請求項３】
前記当接部は、前記ズームリングの内周面から出没自在に設けられたピンであるとともに、前記被当接部は、前記固定筒の周面に周方向に沿って形成された溝であり、前記ズームリングの内周面から突出された前記ピンが前記固定筒に形成された溝の端面に当接することにより、前記ズームリングのランピングポイント以降の回転を規制することを特徴とする請求項１に記載のズームレンズ装置。
【発明の詳細な説明】
【０００１】
【発明の属する技術分野】
本発明はズームレンズ装置に係り、特に絞り開放でワイド側からテレ側にズーム操作を行なうと所定の焦点距離位置でランピングが発生するズームレンズ装置に関する。
【０００２】
【従来の技術】
ランピングとは、図６に示すように、ズームレンズ装置を絞り開放で使用しているときに、テレ端近傍で映像輝度出力レベルが低下する現象をいう。
【０００３】
ランピングは、テレ側での入射光束径が前玉有効径と等しくなると、それ以上の入射光束径がレンズを通り得ないことになるために発生する。したがって、入射光束径よりも前玉径を大きくしておくことにより、ランピングを生じさせないようにすることができるが、ランピングが発生しない程度に前玉径を大きくすると、レンズ装置全体が大型化するため、通常は大きさと重量との関係から実用上差支えがない程度にランピングを許容し、前玉径を小さくして全体のコンパクト化を図っている。
【０００４】
しかしながら、実用上差支えがない程度に抑えられているといっても、撮影者によっては、ランピングにより画面が暗くなるのを嫌う場合がある。従来は、開放Ｆ値や焦点距離等のデータからランピングが発生するポイント（ランピングポイント）を演算してズームレンズ駆動部を制御することにより、ランピングが発生する手前（Ｆ値が低下する手前）でズーム動作を停止させるようにしていた（たとえば、特許文献１）。
【０００５】
【特許文献１】
特開２００２−９０６１３号公報
【０００６】
【発明が解決しようとする課題】
しかしながら、特にシネマ用に多く使用されている手動式のズームレンズ装置の場合、ランピングの有無に関わらずズーム全域でズーム操作ができるようにされているため、撮影者が気づかない間にランピングポイントを超えてズーム操作がなされてしまう場合があった。この結果、撮影者が意図した映像とは異なる映像が撮影されてしまうという欠点があった。
【０００７】
また、ランピングが起きない範囲でのみ使用しようとすると、ズーム操作のたびにランピングポイントの確認を行なわなければならなくなり、使い勝手が悪くなるという欠点があった。
【０００８】
本発明はこのような事情に鑑みてなされたもので、ズームの使用可能領域を簡単に切り替えることができるズームレンズ装置を提供することを目的としている。
【０００９】
【課題を解決するための手段】
請求項１に係る発明は、前記目的を達成するために、固定筒の外周部に回転自在に設けられたズームリングの回転角度位置に応じて焦点距離が変化するズームレンズ装置において、前記ズームリングに設けられた当接部と、前記固定筒に設けられ、テレ方向に回転操作された前記ズームリングの当接部が当接されて、前記ズームリングのランピングポイント以降の回転を規制する被当接部と、を備えるとともに、前記当接部又は前記被当接部が着脱自在に設けられ、前記当接部又は前記被当接部が装着されると、前記ズームリングのランピングポイント以降の回転が規制されることを特徴とするズームレンズ装置を提供する。
【００１０】
本発明によれば、ズームリングに設けられた当接部又は固定筒に設けられた被当接部をズームリング又は固定筒に装着することにより、ズームリングをテレ方向に回転操作した際、ランピングポイントで当接部が被当接部に当接し、ランピングポイント以降のズームリングの回転が規制される。また、この当接部又は被当接部を取り外すと、ランピングポイントでの回転規制が解除され、ズーム全域でズーム操作が可能になる。これにより、ズームの使用可能領域を簡単に切り替えることができる。
【００１１】
また、請求項２に係る発明は、前記目的を達成するために、前記当接部は、前記ズームリングに着脱自在に設けられたピンであるとともに、前記被当接部は、前記固定筒の周面に周方向に沿って形成された溝であり、前記ズームリングに装着した前記ピンが前記固定筒に形成された溝の端面に当接することにより、前記ズームリングのランピングポイント以降の回転を規制することを特徴とする請求項１に記載のズームレンズ装置を提供する。
【００１２】
本発明によれば、ピンをズームリングに装着すると、ズームリングをテレ方向に回転操作した際、ランピングポイントでピンが固定筒に形成された溝の端面に当接する。これにより、ランピングポイントを超えてズームリングが回転するのを防止できる。また、この回転規制は、ズームリングからピンを外すことにより解除され、これにより、ズーム全域でズーム操作が可能になる。
【００１３】
また、請求項３に係る発明は、前記目的を達成するために、前記当接部は、前記ズームリングの内周面から出没自在に設けられたピンであるとともに、前記被当接部は、前記固定筒の周面に周方向に沿って形成された溝であり、前記ズームリングの内周面から突出された前記ピンが前記固定筒に形成された溝の端面に当接することにより、前記ズームリングのランピングポイント以降の回転を規制することを特徴とする請求項１に記載のズームレンズ装置を提供する。
【００１４】
本発明によれば、ピンをズームリングの内周面から突出させると、ズームリングをテレ方向に回転操作した際、ランピングポイントでピンが固定筒に形成された溝の端面に当接する。これにより、ランピングポイントを超えてズームリングが回転するのを防止できる。また、この回転規制は、ピンをズームリングの内周面から退避させることにより解除され、これにより、ズーム全域でズーム操作が可能になる。
【００１５】
【発明の実施の形態】
以下、添付図面に従って本発明に係るズームレンズ装置の好ましい実施の形態を詳説する。
【００１６】
図１は、本発明に係るズームレンズ装置の一実施形態を示す側面図である。このズームレンズ装置１０は、シネマ用のズームレンズ装置１０であり、その固定筒１２の外周部には、フォーカスリング１４、ズームリング１６、アイリスリング１８が設けられている。
【００１７】
フォーカスリング１４は、固定筒１２の外周部に回動自在に設けられており、このフォーカスリングを回転操作することにより、フォーカス調整が行なわれる。すなわち、このフォーカスリング１４を回転操作することにより、固定筒１２に内蔵された図示しないカム機構によってフォーカスレンズ群が光軸に沿って前後移動し、結像位置が調整される。
【００１８】
ズームリング１６は、固定筒１２の外周部に回動自在に設けられており、このズームリング１６を回転操作することにより、レンズの焦点距離が調整される。すなわち、このズームリング１６を回転操作することにより、固定筒１２に内蔵された図示しないカム機構によってズームレンズ群が光軸に沿って前後移動し、レンズの焦点距離が調整される。
【００１９】
アイリスリング１８は、固定筒１２の外周部に回動自在に設けられており、このアイリスリング１８を回転操作することによって、絞りのＦナンバが調整される。すなわち、このアイリスリング１８を回転操作することにより、固定筒１２に内蔵された図示しないアイリス機構によって絞り径が変化し、レンズのＦナンバが調整される。
【００２０】
なお、フォーカスリング１４の外周にはフォーカスギア１４Ａが形成されており、このフォーカスギア１４Ａにモータで駆動されるギアを噛合させることにより、フォーカスリング１４がモータで駆動される。同様にズームリング１６とアイリスリング１８の外周にもズームギア１６Ａとアイリスギア１８Ａが形成されており、このズームギア１６Ａとアイリスギア１８Ａにモータに駆動されるギアを噛合させることにより、ズームリング１６とアイリスリング１８がモータで駆動される。
【００２１】
また、フォーカスリング１４とズームリング１６には、それぞれフォーカスレバー１４Ｂとズームレバー１６Ｂが着脱自在に取り付けられており、このフォーカスレバー１４Ｂとズームレバー１６Ｂによってもフォーカスリング１４とズームリング１６の回転操作ができるようにされている。
【００２２】
さて、上述したように、ズームレンズ装置の場合、絞り開放で使用していると、ワイド側からテレ側にズーム操作したときに、テレ端近傍でランピングが発生する。撮影者は、このランピングにより映像が暗くなるのを嫌う場合がある。
【００２３】
そこで、本実施の形態のズームレンズ装置１０では、ズームリング１６の回転を選択的に規制して、回転可能領域を制限することにより、ズームの使用可能領域を撮影者が自由に選択できるようにしている。すなわち、全領域でズーム操作が可能な「全ズーム」と、ワイド端からランピングポイントまでズーム操作が可能な「限定ズーム」とを撮影者が選択できるようにしている。以下、このズームリング１６の構成について説明する。
【００２４】
図２はズームリングの取付構造を示す側面断面図である。なお、同図（ａ）  は「全ズーム」選択時の状態を示しており、同図（ｂ）は、「限定ズーム」選択時の状態を示している。
【００２５】
図２（ａ）  に示すように、ズームリング１６は、固定筒１２の外周部に回動自在に支持されている。固定筒１２には、周方向に沿って所定の角度範囲でガイド溝２０が形成されており、このガイド溝２０にはガイドピン２２が嵌入されている。
【００２６】
ガイドピン２２は、固定筒１２の内周部に回動自在に支持されたカム筒２４の外周部に取り付けられており、その下端部に一体成形されたネジ部２２Ａをカム筒２４の外周部に形成されたネジ穴２６に螺合させることにより、カム筒２４に固定されている。また、このガイドピン２２は、ズームリング１６に形成されたピン孔２８を通してカム筒２４に取り付けられており、ピン孔２８は、ガイドピン２２の外径とほぼ同径に形成されている。したがって、ズームリング１６を回転させると、その回転がピン孔２８を介してガイドピン２２に伝達され、この結果、カム筒２４が回転する。
【００２７】
カム筒２４の内周部には、図示しないレンズ枠に保持されたズームレンズ群が配設されており、カム筒２４が回転すると、レンズ枠に設けられた図示しないカムピンが、カム筒２４に形成された図示しないカム溝と、固定筒１２に形成された図示しない直進溝とにガイドされて光軸方向に移動する。この結果、ズームレンズ群が光軸に沿って移動し、レンズの焦点距離が変化する。
【００２８】
レンズの焦点距離は、ズームリング１６の回転角度位置に応じて変化し、ズームリング１６の外周に刻設された図示しない指標を固定筒１２の外周に刻設された図示しないズーム目盛に合わせて移動させることにより、レンズの焦点距離が所望の値に設定される。
【００２９】
また、ズームリング１６は、レンズの焦点距離を変更可能な範囲内でのみ回転可能に支持されている。すなわち、ズームのワイド端からテレ端までの範囲内でのみ回転可能に支持されている。
【００３０】
このズームリング１６の可動範囲は、固定筒１２に形成されたガイド溝２０によって規制されており、図３に示すように、このガイド溝２０の端部２０Ｗ、２０Ｔにガイドピン２２が当接することにより、ズームリング１６の回転が規制される。そして、このガイド溝２０の一端２０Ｗは、ズームのワイド端の位置に設定されており、他端２０Ｔは、ズームのテレ端の位置に設定されている。これにより、ズームリング１６は、ズームのワイド端からテレ端の範囲内でのみ回転可能に支持され、この範囲を超えた回転が規制される。
【００３１】
さて、上述したように「限定ズーム」の場合、ズームリング１６は、ズームのワイド端からランピングポイントまで回転可能に支持される。この「限定ズーム」の使用は、ズームリング１６にストッパピン３０を装着することにより行なわれる。
【００３２】
図２（ｂ）に示すように、固定筒１２の外周面には、ガイド溝２０の後段位置にガイド溝２０と平行にズーム範囲規制溝３２が形成されている。
【００３３】
一方、ズームリング１６の外周部には、ストッパピン３０が装着可能なストッパピン取付穴３４が形成されている。ストッパピン取付穴３４は、入口部が拡径して形成されたネジ穴として形成されており、ズームリング１６の外周部から内周部に貫通して形成されている。
【００３４】
ストッパピン３０は、ネジ部３０Ａとピン部３０Ｂとで構成されており、ピン部３０Ｂはネジ部３０Ａの先端に一体的に固着されている。ネジ部３０Ａは、頂部が拡径して形成されており、その頂部の上面には、すり割り３０ａが形成されている。このストッパピン３０は、そのネジ部３０Ａをズームリング１６の外周部にネジ穴として形成されたストッパピン取付穴３４に螺合させることにより、ズームリング１６に装着される。なお、装着はストッパピン３０の上端面に形成されたすり割り３０ａを利用してマイナスドライバによって行なわれる。
【００３５】
ズームリング１６に取り付けられたストッパピン３０は、そのピン部３０Ｂが固定筒１２の外周面に形成されたズーム範囲規制溝３２に嵌入される。そして、ズームリング１６の回転に伴って、そのズーム範囲規制溝３２内を移動する。
【００３６】
ここで、このズーム範囲規制溝３２は、図３に示すように、一定の角度範囲で形成されており、このズーム範囲規制溝３２の形成範囲によってストッパピン３０の可動範囲（ズームリング１６の可動範囲）が規定される。すなわち、ストッパピン３０は、ズームリング１６の回転に伴ってズーム範囲規制溝３２内を移動すると、そのズーム範囲規制溝３２の両端３２Ｗ、３２Ｒで溝の端面に当接して、それ以降の移動が規制される。そして、このズーム範囲規制溝３２の一端３２Ｗは、ズームのワイド端の位置に設定されており、他端３２Ｒは、ズームのランピングポイントに設定されている。これにより、ズームリング１６は、ズームのワイド端からランピングポイントまでの範囲内でのみ回転可能に支持され、この範囲を超えた回転が規制される。
【００３７】
なお、ズームのワイド端は、ガイド溝２０とガイドピン２２とによって規制されるので、ズーム範囲規制溝３２のワイド側の端部３２Ｒの位置は、必ずしもズームのワイド端に一致させる必要はなく、ズームのワイド端を超えた位置に設定してもよい。
【００３８】
前記のごとく構成された本実施の形態のズームレンズ装置１０の作用は次のとおりである。
【００３９】
本実施の形態のズームレンズ装置１０では、ズーム全域でズーム操作が可能な「全ズーム」と、ランピングが起きない範囲内でのみズーム操作が可能な「限定ズーム」とを選択して使用することができる。そして、その選択はズームリング１６に設けられたストッパピン取付穴３４へのストッパピン３０の装着の有無によって行なわれる。すなわち、「全ズーム」を使用する場合は、ストッパピン取付穴３４からストッパピン３０を取り外して使用し、「限定ズーム」を使用する場合は、ストッパピン取付穴３４にストッパピン３０を取り付けて使用する。
【００４０】
ストッパピン３０をストッパピン取付穴３４から取り外した場合、図２（ａ）  に示すように、ストッパピン３０による規制が解除されるので、ズームリング１６は、ガイドピン２２とガイド溝２０（２０Ｗ、２０Ｔ）によって規制される範囲内で回動自在に支持される。これにより、ズーム全域でズーム操作が可能になる。
【００４１】
一方、ストッパピン３０をストッパピン取付穴３４に装着した場合、図２（ｂ）  に示すように、ズームリング１６は、ストッパピン３０とズーム範囲規制溝３２（３２Ｗ、３２Ｒ）とによってテレ方向の回転がランピングポイントまでに規制される。この結果、ワイド端からランピングポイントまでの範囲内でのみズーム操作が可能になる。これにより、撮影者が気付かない間にランピングポイントを超えてズーム操作が行なわれるのを未然に防止することができる。
【００４２】
このように、本実施の形態のズームレンズ装置１０によれば、ストッパピン取付穴３４へのストッパピン３０の着脱によって、ズームの使用可能領域を簡単に設定することができる。
【００４３】
図４は、本発明に係るズームレンズ装置の第２の実施の形態の要部の構成を示す側面断面図である。
【００４４】
上述した実施の形態では、ネジ部３０Ａを有するストッパピン３０をネジ穴として形成されたストッパピン取付穴３４に装着することにより、ズームの使用可能領域を切り替えていた。本実施の形態では、出没自在に設けられたストッパピン４０によってズームの使用可能領域を切り替える。なお、上述した実施の形態と同じ構成部材には同じ符号を付して、その説明は省略する。
【００４５】
図４に示すように、ストッパピン４０は、ロッド４２の先端部に固着されている。このロッド４２は、頂部にツマミ４４を備えており、ズームリング１６の外周部に固着されたブッシュ４６にスライド自在に支持されている。
【００４６】
ブッシュ４６は、基部４６Ａが拡径して形成されており、その拡径して形成された基部４６Ａには外周から内周に向けて横穴４８が貫通して形成されている。横穴４８は外周側の端部が蓋材５０で塞がれており、その内側にはスプリング５２を介して剛球５４が挿入されている。この横穴４８に挿入された剛球５４は、スプリング５２の付勢力で内周方向に押圧されており、ブッシュ４６に軸支されたロッド４２の外周面に押圧当接されている。そして、この剛球５４に押圧当接されたロッド４２の外周には、断面三角形状の溝４２Ａ、４２Ｂが２本周方向に沿って形成されており、この溝４２Ａ、４２Ｂに剛球５４が嵌合されることにより、ロッド４２が所定位置で停止する。
【００４７】
ここで、この２本の溝４２Ａ、４２Ｂは、ストッパピン４０がズーム範囲規制溝３２に嵌る位置と外れる位置とに形成されている。すなわち、下側の溝４２Ｂは、図４（ａ）  に示すように、ストッパピン４０がズーム範囲規制溝３２から外れた時（ストッパピン４０がズームリング１６の内周面から退避した時）に剛球５４が嵌る位置に形成され、上側の溝４２Ａは、図４（ｂ）  に示すように、ストッパピン４０がズーム範囲規制溝３２に嵌った時（ストッパピン４０がズームリング１６の内周面から突出した時）に剛球５４が嵌る位置に形成されている。
【００４８】
この結果、ツマミ４４を持ち上げると、剛球５４が下側の溝４２Ｂに嵌合して停止し、ストッパピン４０がズーム範囲規制溝３２から外れた状態で停止する。一方、ツマミ４４を押し下げると、剛球５４がロッド４２の上側の溝４２Ａに嵌合して停止し、ストッパピン４０がズーム範囲規制溝３２に嵌った状態で停止する。
【００４９】
このように、ツマミ４４を押し引きすることにより、ストッパピン４０がズームリング１６の内周面から出没し、ズーム範囲規制溝３２に脱着される。そして、このストッパピン４０をズーム範囲規制溝３２から外すことにより、ズームの全域でズーム操作が可能になり（全ズーム）、ストッパピン４０をズーム範囲規制溝３２に嵌めることにより、ワイド端からランピングポイントまでの範囲でズーム操作が可能になる。
【００５０】
このように、本実施の形態によれば、ツマミ４４の押し引きで、ズームの使用可能領域を切り替えることができるので、より簡単にズームの使用可能領域の切り替え操作を行なうことができる。
【００５１】
図５は本発明に係るズームレンズ装置の第３の実施の形態の要部の構成を示す側面断面図である。
【００５２】
上述した実施の形態では、固定筒に形成されたズーム範囲規制溝の端面にストッパピンを当接させることにより、ズームリングの可動範囲を規制していた。本実施の形態では、ズームリング１６に設けられたストッパ６０を固定筒１２の外周部に着脱自在に取り付けられたストッパピン６２に当接させることにより、ズームリング１６の可動範囲を規制する。
【００５３】
図５に示すように、ズームリング１６の外周部には、指標の位置にストッパ６０が取り付けられている。このストッパ６０は、棒状に形成されており、ズームリング１６の後端部から所定量突出して取り付けられている。
【００５４】
一方、固定筒１２の外周面には、ズームのランピングポイントに対応する位置にストッパピン取付穴６４が形成されている。このストッパピン取付穴６４は、ネジ穴として形成されている。
【００５５】
ストッパピン６２は、その下端部にネジ部６２Ａが一体成形されており、このネジ部６２Ａをストッパピン取付穴６４に螺合させることにより、固定筒１２外周部に着脱可能に取り付けられる。
【００５６】
ストッパピン取付穴６４に取り付けられたストッパピン６２は、テレ方向に回転操作されたズームリング１６のストッパ６０にランピングポイントで当接し、ズームリング１６の回転を規制する。これにより、ズームリング１６は、ワイド端からランピングポイントまでの範囲内でのみ回転可能に支持される。
【００５７】
このように、本実施の形態によれば、ストッパピン取付穴６４にストッパピン６２を取り付けると、ワイド端からランピングポイントまでの範囲でズーム操作が可能になり、ストッパピン６２を取り外すと、ズーム全域でズーム操作が可能になる。
【００５８】
なお、ストッパピン６２を固定筒から着脱自在に取り付けるのではなく、ストッパ６０をズームリング１６から着脱自在に取り付けられるようにしてもよいし、双方を着脱自在に取り付けられるようにしてもよい。
【００５９】
なお、上述した一連の実施の形態では、本発明をシネマ用のズームレンズ装置に適用した場合を例に説明したが、本発明の適用は、これに限定されるものではなく、スチルカメラ用のズームレンズ装置やテレビカメラ用のズームレンズ装置に適用することもできる。
【００６０】
【発明の効果】
以上説明したように、本発明によれば、当接部又は被当接部を着脱し、ランピングポイント以降のズーム操作を選択的に規制することにより、ズームの使用可能領域を簡単に切り替えて使用することができる。
【図面の簡単な説明】
【図１】本発明に係るズームレンズ装置の一実施形態を示す側面図
【図２】図１に示したズームレンズ装置の要部の構成を示す側面断面図
【図３】図１に示したズームレンズ装置の要部の構成を示す正面断面図
【図４】本発明に係るズームレンズ装置の第２の実施の形態の要部の構成を示す側面断面図
【図５】本発明に係るズームレンズ装置の第３の実施の形態の要部の構成を示す側面断面図
【図６】ランピングの説明図
【符号の説明】
１０…ズームレンズ装置、１２…固定筒、１４…フォーカスリング、１６…ズームリング、１８…アイリスリング、２０…ガイド溝、２２…ガイドピン、２４…カム筒、２８…ピン孔、３０…ストッパピン、３２…ズーム範囲規制溝、３４…ストッパピン取付穴、４０…ストッパピン、４２…ロッド、４４…ツマミ、４６…ブッシュ、５２…スプリング、５４…剛球、６０…ストッパ、６２…ストッパピン、６４…ストッパピン取付穴
【図１】
2004295005.tif 000003
【図２】
2004295005.tif 000004
【図３】
2004295005.tif 000005
【図４】
2004295005.tif 000006
【図５】
2004295005.tif 000007
【図６】
2004295005.tif 000008